Podtech/llm-jp-corpus-v4-ja_patent huggingface dataset:
(57)【要約】      （修正有）【課題】衣料設計において必要とされる寸法を特別な技術や経験なしに、正確かつ迅速に計測できる体型計測衣服を提供する。【解決手段】衣服の切り替えパーツの各部に面ファスナー１を付け、着装する際にその体型に合う様に各部の面ファスナーで調整しながら着装する。着装のあとファスナー２と３を外し、展開してから必要な寸法を計測することで、衣料の設計で必要な寸法を間接的に採取する。【選択図】図１
0003116386.tif 000002
【実用新案登録請求の範囲】
【請求項１】
衣服製作にあたり必要となる各寸法やその体型を把握するために着装する、簡易に各部の寸法が調整可能な仕組みを有する体型計測衣服
【考案の詳細な説明】
【技術分野】
【０００１】  本考案は、簡易に各部の寸法が調整可能な仕組みを要する体型計測衣服に関するものである。
【背景技術】
【０００２】  体に合った着心地の良い衣服を製作するために必要な、各部の寸法を計測するには、長い経験と技術が必要である。また計測中に様々な姿勢をとることが出来なかったので姿勢に対応した着心地の良い衣服を作るための各部の寸法が計測できなかった。
【考案の開示】
【考案が解決しようとする課題】
【０００３】  体に合った着心地の良い衣服の製作には、着装する人の体型を把握し、細かい箇所の入念な計測が必要で従来は個人の感性に頼るところが大きく、その技術の伝承にも労力を要した。しかし体型計測衣服を検体が着装し、実際に様々な姿勢をとりながら各部の寸法を調整することで計測の作業を簡素化し、それぞれの姿勢に必要な情報を含んだ寸法を特別な技術や感性を要せずに採取することが出来る。
【問題を解決するための手段】
【０００４】  本考案は実際に着装できる衣服で、各部のつなぎ目に寸法を自在に調整できる面ファスナーを装備し、着装した状態で様々な姿勢をとりながら寸法を調整することで体に合った寸法形状にし、脱衣した後に展開し各部の寸法を採取することで体に合い尚且つ様々な姿勢に対応した衣服の設計に必要な寸法を、簡単に計測できるようにしたものである。
【考案の効果】
【０００５】  本考案の体型計測衣料は、人体計測の技術が無い人が行っても衣服設計に必要な各部の細かい寸法計測を、簡単に１度の着装で可能にするので、従来のような細かい計測や測り直しは必要なくなり作業も迅速に進められる。
【考案を実施するための最良の形態】
【０００６】  一着の衣料を数個の独立したパーツから作り、そのつなぎ目を面ファスナーでつなぎ合わせてパーツ同士の隙間が調節できるようにする。さらに前中心と両脇にファスナーを設け着装後に体型計測衣服を展開しサイズの採取を容易にする。
【実施例】
【０００７】  以下添付図面に従って本品をベストで施行した一実施例を説明する。布地を使用し、各パーツ４に分割されたベストそれぞれのつなぎ目に面ファスナー１を装着し個々のパーツをつなぎ合わせる。【０００８】  ベストを検体に着せ付けていく過程で体型に合うように各部の寸法を面ファスナーで調整５する。この時検体が様々な姿勢をとることで、姿勢に合った寸法に調整する事が出来る。【０００９】  計測した後、ベストの前中心２と両脇にあるファスナー３を外し展開し、必要な寸法を採取する。
【図面の簡単な説明】
【００１０】
【図１】本考案品をベストで施行した場合の右前を示す正面図である。
【図２】本考案品をベストで施行した場合の右後を示す正面図である。
【図３】面ファスナーを装備した部分図である
【図４】計測後に展開し寸法を採取出来る状態にしたベスト右側の図である。
【図５】本考案品をスカートで施行した場合の正面図である。
【符号の説明】
【００１１】  １  面ファスナー
２  前ファスナー
３  脇ファスナー
４  分割されたそれぞれのパーツ
５  寸法の調整
【図１】
0003116386.tif 000003
【図２】
0003116386.tif 000004
【図３】
0003116386.tif 000005
【図４】
0003116386.tif 000006
【図５】
0003116386.tif 000007
【手続補正書】
【提出日】平成17年8月10日(2005.8.10)
【手続補正１】
【補正対象書類名】実用新案登録請求の範囲
【補正対象項目名】全文
【補正方法】変更
【補正の内容】
【実用新案登録請求の範囲】
【請求項１】
衣服を計測したい箇所で分割して作製しそれぞれの接合部分を重ね合わせ、面ファスナーでつなぎ合わせる、検体に着せ付ける際に結合される面ファスナー同士の重なる分量を調節することで各寸法やその体型を把握する事が出来る体型計測衣服
(57)【要約】      （修正有）【課題】撹拌部の構造を弾力のある柔軟性のあるものでかつ強度を十分保持し、撹拌時における食材への接触面積を広くして研ぎ効果を高める。【解決手段】全体が内方向にゆるく弯形する各撹拌単材１・・・の頂端部分をさらに適度に弯曲したその切端部４・・・を開放部３中心に向って対面するように形成し、各撹拌単材の断面を略四角形に形成するとともにその両側面部に凹み面２，２を形成し、各撹拌単材の中間部内側に突起５・・を設けこの各突起に対し円環枠６の周囲に等間隔をおいて突設した各凹部片７・・を嵌着して成るものである。【選択図】図１
0003116349.tif 000002
【実用新案登録請求の範囲】
【請求項１】
全体が内方向にゆるく弯形する各撹拌単材の頂端部分をさらに適度に弯曲したその切端部を開放部中心に向って対面するように形成し、各撹拌単材の断面を略四角形に形成するとともにその両側面部に凹み面を形成し、各撹拌単材の中間部内側に突起を設けこの各突起に対し円環枠の周囲に等間隔をおいて突設した各凹部片を嵌着して成ることを特徴とする研ぎ具。
【考案の詳細な説明】
【技術分野】
【０００１】
本考案は、米研ぎその他撹拌用の研ぎ具に関するものである。
【背景技術】
【０００２】
従来、研ぎ具に関しては種々のものが存する中で、実用新案登録第３０７４８４４号のごとき撹拌具が存する。
【０００３】
この先考案は、全体をほぼ円筒形状に形成した菱形細目体に成る撹拌部を柄体に取付け固定して成るものであるため、撹拌部全体が堅固になり過ぎて、頂上部は開放されていても、旧来からの線材を曲折して結束した構造の研ぎ具と実質的に変わらないような効果しか発揮することができない。
【０００４】
また、特許第３１１４０８７号（特開平９−３０８５８５号）のごとき米研ぎ器も存するが、日常使用される研ぎ具の概念から基本的に外れているものである。
【０００５】
【特許文献１】登録実用新案第３０７４８４４号公報
【特許文献２】特開平９−３０８５８５号公報
【考案の開示】
【考案が解決しようとする課題】
【０００６】
そこで、本考案は、撹拌部の構造を弾力を有する柔軟性のあるものでかつ強度を十分保持したものにし、撹拌時における被撹拌物への接触面積をより広くして研ぎ効果を一層高めることを目的とするものである。
【課題を解決するための手段】
【０００７】
本考案は、全体が内方向にゆるく弯形する各撹拌単材の頂端部分をさらに適度に弯曲したその切端部を開放部中心に向って対面するように形成し、各撹拌単材の断面を略四角形に形成するとともにその両側面部に凹み面を形成し、各撹拌単材の中間部内側に突起を設けこの各突起に対し円環枠の周囲に等間隔をおいて突設した各凹部片を嵌着して成るものである。
【考案の効果】
【０００８】
第１に、柔軟性のある各撹拌単材の集合体の弯曲した頂端部には開放部が形成され、この各撹拌単材の頂端部は開放部の中心方向に分離して対面状態にあるから、撹拌する食材は先端部分に溜まることはなく、常に均一に撹拌されるようになる。
【０００９】
第２に、各撹拌単材の断面部は略四角形状に成るとともに両側面部が凹み面に成るため、食材に接触する面積が広くかつ鋭くなり、抵抗力が大きくなることにより米研ぎなどの効果がきわめて良好になる。
【００１０】
第３に、各撹拌単材の切端部は鋭角度にカットされてそれぞれ開放部中心に向っているから菜箸や割箸の効果があり、これによって卵の黄味と白味とをよく切離して十分混合した状態にして撹拌効果を発揮するから、ケーキ生地や生クリームづくりには最適となる。
【００１１】
第４に、本研ぎ具は柔軟性と弾力性があるものであるから、金属線材を使用した研ぎ具と違い、撹拌単材の頂端部分が開放状態に成るものであることと相俟って、食材を収容するボウルなどの容器が陶器製やほうろう製であっても内面部分を損傷することなく安心して使用することができる。
【００１２】
第５に、研ぎ具全体の洗浄は、撹拌単材をまとめている中間部の円環枠を脱離して行うことができるものであるから、衛生効果は大きい。
【考案を実施するための最良の形態】
【００１３】
多数本の撹拌単材をその切端部を開放部中心に対向するように等間隔をおいて結束して柄体に取付け、しかる後に前記各撹拌単材の中間部に設けた各突起に対し、円環枠の周囲に設けた各凹部片を嵌着して組立てる。
【００１４】
洗浄などの必要時には、前記円環枠の各凹部片を撹拌単材の各突起から脱離して両部材を解放する。
【実施例】
【００１５】
１・・・は全体が内方向にゆるく変形する合計６本から成る合成樹脂製の撹拌単材で、この撹拌単材の断面部は略四角形に成りかつ両側面部にはそれぞれ凹み面２，２を形成して成る。撹拌単材全体は弾力性と柔軟性を有する部材となる。
【００１６】
前記各撹拌単材１の頂端部分の切端部は、後記開放部の中心垂直線に対して約３５°〜４５°にカットして成るが、４０°位が最適角度である。
【００１７】
３は前記撹拌単材１・・・の頂端部分に形成する開放部で、各撹拌単材の弯曲した切端部４・・・は前記開放部の中心に向って各対面している。
【００１８】
５・・は前記撹拌単材１・・・の中間部内側に設けた突起で、この突起には円環枠６の周囲に等間隔をおいて突設した凹部片７・・が嵌着するように成る。この円環枠６は全撹拌単材に着脱自在にする。
【００１９】
８は前記撹拌単材１・・・の基端部を結束して嵌合固定する柄体である。
【図面の簡単な説明】
【００２０】
【図１】全体の斜視図
【図２】部材を分離した全体斜視図
【図３】要部の拡大斜視図
【図４】要部の平断面図
【符号の説明】
【００２１】
１・・・              撹拌単材
２，２                凹み面
３                    開放部
４・・・              切端部
５・・                突起
６                    円環枠
７・・                凹部片
８                    柄体
【図１】
0003116349.tif 000003
【図２】
0003116349.tif 000004
【図３】
0003116349.tif 000005
【図４】
0003116349.tif 000006
(57)【要約】      （修正有）【課題】二本のストローで一本はジュース、もう一本は空気を吸い上げることによりキャラクター人形等が唇にキスをしてくれ話題が増えドリームが広がる。【解決手段】小さめのストロー３の空気を吸い上げるためキャラクター人形等５が上下することにより遊び心が増え楽しく呑むことが出来る。【選択図】図１
0003116363.tif 000002
【実用新案登録請求の範囲】
【請求項１】
一本のストロー本体とやや小さめのストローで合体した、二本のストローを設け、本体の方はジュース類を呑む道具とし、小さめのストローは空気を吸い上げることにより円盤についているキャラクター人形等が上下する楽しい道具とする。
【考案の詳細な説明】
【技術分野】
【０００１】  本考案は二本のストローを合体し一本はジュース等を呑む道具とし一本はキャラクター人形等が上下するストローに関するものである。
【技術背景】
【０００２】  今までは、ジュース等を一本のストローで呑んでいた。
【考案の開示】
【考案が解決しようとする課題】
【０００３】  二本のストローで一本はジュース、もう一本は空気を吸い上げることによりキャラクター人形等が唇にキスをしてくれ話題が増えドリームが広がる。
【課題を解決するための手段】
【０００４】  本考案は小さめのストローの空気を吸い上げるためキャラクター人形等が上下する。
【考案の効果】
【０００５】  遊び心が増え楽しく呑むことが出来る。
【考案を実施するための最良の形態】
【０００６】  小さいストローの円盤を吸い上げることにより円盤についているキャラクター人形等が上がってきたときにキスをしてくれるようにする。
【実施例】
【０００７】  以下添付図面に従って実施例を説明する。１と３のストローで吸引することにより４の上下盤が上下するようにする。
【図面の簡単な説明】
【０００８】
【図１】本考案のキスミーストローの正面図である。
【図２】本考案のキスミーストローの断面図である。
【符号の説明】
【０００９】    １    ストロー本体
２    伸縮ストロー
３    小さめのストロー
４    上下盤
５    キャラクター人形等
６    ジャバラ
７    空気孔
８    上下運動縦割部
【図１】
0003116363.tif 000003
【図２】
0003116363.tif 000004
【手続補正書】
【提出日】平成17年6月13日(2005.6.13)
【手続補正１】
【補正対象書類名】実用新案登録請求の範囲
【補正対象項目名】全文
【補正方法】変更
【補正の内容】
【実用新案登録請求の範囲】
【請求項１】
一本のストロー本体と、呑み口が小さくストロー本体より短いストローを接着剤で合体させ同時にジュース類と空気を吸い上げることにより円盤に付いているキャラクター人形等が上下する楽しい道具とする。
【手続補正２】
【補正対象書類名】明細書
【補正対象項目名】０００４
【補正方法】変更
【補正の内容】
【０００４】  本考案は呑口が小さく本体より短いストローの空気を吸い上げることによりキャラクター人形等が上下する。
【手続補正３】
【補正対象書類名】明細書
【補正対象項目名】０００６
【補正方法】変更
【補正の内容】
【０００６】  呑口が小さく本体より短いストローの円盤を吸い上げることにより円盤に付いているキャラクター人形等が上がってきたときにキスをしてくれるようにする。
【手続補正４】
【補正対象書類名】明細書
【補正対象項目名】０００９
【補正方法】変更
【補正の内容】
【０００９】１  ストロー本体
２  伸縮ストロー
３  呑口が小さく本体より短いストロー
４  上下盤
５  キャラクター人形等
６  ジャバラ
７  空気孔
８  上下運動縦割部
【手続補正書】
【提出日】平成17年8月16日(2005.8.16)
【手続補正１】
【補正対象書類名】実用新案登録請求の範囲
【補正対象項目名】全文
【補正方法】変更
【補正の内容】
【実用新案登録請求の範囲】
【請求項１】
一本のストロー本体と、呑み口が小さくストロー本体より短いストローを接着剤で合体させ同時にジュース類と空気を吸い上げることにより円盤に付いているキャラクター人形等が上下するストローとする。
(57)【要約】      （修正有）【課題】携帯電話の音声を聞き取りやすくし、取りつけ簡単なイヤホーンを提供する。【解決手段】イヤホーン本体を弾力のある素材で作り、耳にフィットする部分は空洞の突起物になっていて、音声を拡大することができるようにする。【選択図】図１
0003116370.tif 000002
【実用新案登録請求の範囲】
【請求項１】
携帯電話機の音声を聞く部分に、耳穴に入る程の大きさの弾力性のあるもので、取り付け取り外しが自在に出来るイヤホーン。
【請求項２】
イヤホーン本体に広告文字、イラスト等を入れたもの。
【考案の詳細な説明】
【技術分野】
【０００１】携帯電話に簡単に取りつけ、取りはずしの出来るイヤホーンを作る。
【背景技術】
【０００２】携帯電話は小型化され、携帯電話そのままでは、音声が聞き取りにくい。
そのためコード付きイヤホーンが使われている。
【考案の開示】
【考案発明が解決しようとする課題】
【０００３】携帯電話は１本のままと、二つ折りとがあるが、音声を聞きとる部分はたいらで穴があるか、少しへこんだ状態のものがある。そのため耳に近づけても聞きとりにくい時が多いので、聞きとりやすいイヤホーンを作り取りつける。
【課題を解決するための手段】
【０００４】携帯電話音声聞き取り部分に、弾力のある素材で耳にやわらかくフィットする形で電話機へ簡単に取りつけられるイヤホーンにする。
【考案の効果】
【０００５】携帯電話にこのイヤホーンを取りつけることで、耳にやわらかくフィットし、音声が拡大され聞き取りやすくなる。
【考案が実施されるための最良の形態】
【０００６】携帯電話の音声聞き取り部分に、簡単に取りつけるためイヤホーン本体を弾力のあるやわらかい素材にする。イヤホーン本体の取り付け部分は接着剤が付けてある。イヤホーンの耳にフィットする部分は空洞の突起物になっていて音声  を拡大することができるようにする。
【実施例１】
【０００７】図１は本考案の斜視図である。１は本体であり、全体は弾力性のある柔らかい素材で作り、２の突起物が耳穴にフィットされ、突起部の中は空洞で音声拡大することができ、３の穴より伝わりよく聞き取る事が出来る。４  は取り付け用接着剤であり、６の携帯電話の７の音声聞き取り部分に簡単に取り付けられる。８が接着斜視図である。
【産業上の利用可能性】
【０００８】携帯電話のイヤホーンはコード付のものがあるが、直接取り付けられるものがなく、利用価値がある。イヤホーン本体に広告文字、イラストを入れること等で広告媒体になる。
【図面の簡単な説明】
【０００９】
【図１】      取りつけ簡単携帯電話イヤホーンの斜視図である。
【図２】      携帯電話に本イヤホーンを取りつけた斜視図である。
【符号の説明】
１      イヤホーン本体
２      突起部分
３      空洞イヤホーンの穴
４      接着剤
５      広告文字、イラスト等印刷
６      携帯電話
７      音声聞き取り部分
８      イヤホーン接着斜視図
【図１】
0003116370.tif 000003
【図２】
0003116370.tif 000004
【手続補正書】
【提出日】平成17年8月8日(2005.8.8)
【手続補正１】
【補正対象書類名】実用新案登録請求の範囲
【補正対象項目名】全文
【補正方法】変更
【補正の内容】
【実用新案登録請求の範囲】
【請求項１】
携帯電話機の音声を聞く部分に、耳穴に入る程の大きさの弾力性のあるもので、取り付け取り外しが自在に出来るイヤホーン。
【請求項２】
請求項１記載のイヤホーン本体に、広告文字、イラスト等を入れたことを特徴とするイヤホーン。
(57)【要約】      （修正有）【課題】世界的に歴史的に貴重な美術作品や本などの修復、保存、吊るし、止めなどに使える、恒久的に本物件も作品や本にも化学変化が起こりにくい物とするテープ、シートの考案をする。歴史的にも変化の少ない手漉き和紙に着目し、より手漉き和紙に近い状態に近ずけること。【解決手段】機械で漉く前の段階までを手漉き和紙同様化学薬品を使わず従来の行程をたどる事により最大限手漉き和紙に近ずける。これにより出来上がった和紙に中性アクリル系の粘着材を塗布し中性で変化の少ないテープ、シートをつくる。【選択図】図１
0003116368.tif 000002
【実用新案登録請求の範囲】
【請求項１】
恒久的に変化が少なく、強靱な基底材の和紙は、旧来のセルローズ系繊維材料１００％を使用する。また、製品後の化学変化を避ける為と、繊維の強さを損なわない為薬品による漂泊さらしは、おこなわない。上記の基底材にアクリル系の中性粘着材を塗布した、粘着シート及び粘着テープとする。これにより美術作品及び貴重な本などの修復、保存、吊るし、止めなどに使用中影響を与えないことを目的とする。
【考案の詳細な説明】
【技術分野】
【０００１】和紙本来の変化の少ない状態を最大限に維持し、中性アクリル系粘着材を使ったテープ、シートとする。
【背景技術】
【０００２】  従来の修復及び額縁額装用中性テープ、シートは中性としながらも、パルプ等の紙を使っており、最終段階で薬品による中和し出荷時のＰｈを保つだけの物であった。
【考案の開示】
【考案が解決しようとする課題】
【０００３】  一旦変化をもたらすと取り返しのつかない、世界的な財産である美術作品及び歴史的に貴重な本などの保存を考慮するものである。和紙によるテープを作る為には、手漉きではなく。機械漉きの必要が有るが、大半は薬品による漂泊さらしがされている。又、粘着材を塗布する場合和紙は裏面まで浸透をしてしまう。
【課題を解決するための手段】
【０００４】  本案の基底材である和紙は紙を漉く前の段階までは、化学薬品を使わず本来の手漉き同等の行程をたどる。又、和紙をより白くする事を必要としない為、繊維を傷めない程度に漂泊さらしを留める。粘着材の塗布については、剥離紙に粘着材を塗布し溶剤をとばしつつ和紙に転写をしながら同時に巻取る。
【考案の効果】
【０００５】  和紙本来の行程を重視する事により、過去の歴史に乗っ取た恒久性が期待できる。
又、漂泊さらしを一定の段階で留める為、繊維の強さも従来のテープより数段高くなる事が期待できる。又、剥離紙を同時に巻取る事により繊維の長い和紙の表面に粘着材がつかない。
【考案の実施するための最良の形態】
【０００６】  和紙、粘着材、剥離紙の３層から成ることによりテープをロールに巻取る事ができ必要に応じてカットし使用ができる。
【実施例】
【０００７】  以下添付図面に従って説明をする。１、シート自体の階層の説明。２、テープの形態。
【産業上の利用可能性】
【０００８】  美術館、図書館、額縁店、額装業者あるいは、美術収集家等作品または、本などを長期に保存が必要と思われる場面において。
【図面の簡単な説明】
【０００９】
【図１】シート自体の和紙層と粘着材、剥離紙の階層の説明。
【図２】ロール芯に巻かれたテープの形態
【符号の説明】
【００１０】  １  和紙層
２  中性アクリル系粘着材層
３  剥離紙層
４  ロール芯
５  本案テープ
【図１】
0003116368.tif 000003
【図２】
0003116368.tif 000004
【手続補正書】
【提出日】平成17年8月8日(2005.8.8)
【手続補正１】
【補正対象書類名】実用新案登録請求の範囲
【補正対象項目名】全文
【補正方法】変更
【補正の内容】
【実用新案登録請求の範囲】
【請求項１】
セルローズ系繊維材料を主とする和紙基底材にアクリル系の中性粘着材を塗布したことを特徴とする和紙中性テープ、シート。
【手続補正２】
【補正対象書類名】明細書
【補正対象項目名】全文
【補正方法】変更
【補正の内容】
【考案の詳細な説明】
【技術分野】
【０００１】    本考案は、美術館、図書館、額縁店、額装業者あるいは、美術収集家等作品または、本などを長期に保存が必要とされる分野において、美術作品及び歴史的に貴重な本などの修復に使用する和紙中性テープ、シートに関する。
【背景技術】
【０００２】    従来、美術作品及び歴史的に貴重な本などを修復し、永く保存するために使用するテープ、シートには、パルプ等の洋紙を基底材とし、粘着材で修復対象部に貼り付けている。
【考案の開示】
【考案が解決しようとする課題】
【０００３】  和紙を基底材とする修復用テープ、シートは量産のため和紙は手漉きではなく、機械漉きの必要が有るが、大半は薬品による漂白さらしがされている。このため、修復部分は経時変化によりＰｈが変化し易い。さらに、和紙に粘着材を塗布する場合、この粘着材は和紙の裏面まで浸透してしまう。一方、パルプ等の洋紙を基底材とする修復用テープ、シートは、洋紙が薬品による中和により出荷時のＰｈを保つだけの物である。このため、修復部分は経時変化によりＰｈが変化し易い。このように、修復品に一旦変化をもたらすと世界的な財産である美術作品及び歴史的に貴重な本などの保存に支障を来し、取り返しがつかなくなる虞れがある。
【課題を解決するための手段】
【０００４】    本考案は、セルローズ系繊維材料を主とする和紙基底材にアクリル系の中性粘着材を塗布したことを特徴とする和紙中性テープ、シートである。
【考案の効果】
【０００５】  和紙本来の行程を重視する事により、過去の歴史に則った恒久性が期待できる。又、漂白さらしを一定の段階で留める為、繊維の強さも従来のテープより数段高くなる事が期待できる。又、剥離紙を同時に巻取る事により繊維の長い和紙の表面に粘着材がつかない効果も有る。
【実施例】
【０００６】    以下、本考案の和紙中性テープの１実施例について、図１および図２を参照して説明する。セルローズ系繊維材料を主とする和紙基底材であるテープ状和紙層１の上にはアクリル系の中性粘着材層２が形成され、この粘着材層２の上には剥離紙層３が形成してある。上記和紙層１は紙を漉く前の段階までは、化学薬品を使わず本来の手漉き同等の行程をたどる。又、和紙をより白くする事を必要としない為、繊維を傷めない程度に漂白さらしを留めたものである。粘着材層２は、剥離紙３に粘着材を塗布し、溶剤をとばしながら和紙層１に転写したものであり、図２に示すように、和紙層１、中性粘着材層２、及び剥離紙３よりなるテープ５はロール芯４に一緒に巻取られたものである。このような和紙中性テープは、美術品や本の傷んだ場所やその大きさに応じてカットし、貼り付けて修復される。なお、この実施例ではテープ状のものについて述べたが、シート状にして使用してもよい。
【図面の簡単な説明】
【０００７】
【図１】  本考案の和紙中性テープの一実施例を示すものである。
【図２】  図１に示す和紙中性テープをロール芯に巻いて出荷する形態を示すものである。
【符号の説明】
【０００８】  １  和紙層
２  粘着材層
３  剥離紙層
４  ロール芯
５  本考案テープ
(57)【要約】      （修正有）【課題】窓や戸のレールの溝にこびりついたホコリを素早くきれいに取り去ることができる掃除機用アダプタを提供する。【解決手段】掃除機用アダプタ７は、吸込筒先端４に向かって口径を細くする。筒状の本体内部には、回転軸３を受けるため、プロペラ１に近い部分に軸受け５を、吸込筒先端４には軸受け６を接着させて取り付ける。軸受け５と軸受け６の中央部は円筒形にして、その中に回転軸３を通せるようにする。回転軸３は、鋼鉄製の棒状とし、プロペラ１側をタペット頭部９のように凸状に加工して、プロペラ１としっかり固定する。回転ブラシ２側の先端は、ネジきりしておき、回転ブラシ２とボルト・ナット状にネジ込み接合する。回転ブラシ２は、通常歯ブラシに使用するような材質の硬めがよい。ただしその直径は、窓や戸のレール８の溝幅に入るだけの幅とする。回転ブラシ２の中央部は、回転軸３が収まるようにネジ穴を開ける。【選択図】図１
0003116924.tif 000002
【実用新案登録請求の範囲】
【請求項１】
掃除機の吸込筒の先端部に着脱自在な掃除機用アダプタであって、筒状の本体と本体内部に回転自在に設けられたプロペラとプロペラの回転軸に連動されて本体の外部に突出した回転ブラシとを備えた掃除機用アダプタ。
【考案の詳細な説明】
【技術分野】
【０００１】
この考案は、掃除機の吸引力を利用してプロペラとブラシを回転させ、窓や戸のレールの溝にこびりついたホコリを取り去るための掃除機用アダプタに関するものである。
【背景技術】
【０００２】
窓や戸のレールの溝にこびりついたホコリは、ホウキを使って掃いてもなかなか取り去ることができない。また指に雑巾を巻いて溝を擦ると溝の中央ほどはきれいになるが、隅々はうまく取り切れない。無理やり隅々を擦り取ろうとすればするほど指は痛くなるばかりである。
【０００３】
手のひらサイズの小さなハケは手軽であるが、隅々のホコリはやはりうまく取れない。小筆などを使用すると隅々のホコリは取れるが、時間がかかる。また掃除機の吸込筒先端が細くなったものがあり、それを使えば早くレール表面上のホコリを吸引することができる。しかし、こびりついたホコリまでは吸い取れない。
【考案の開示】
【考案が解決しようとする課題】
【０００４】
窓や戸のレールのホコリを取り去ろうとするとき、ホウキの穂先で掃いても、掃除機の吸込筒先端を細くしたもので吸い取ろうとしても、強く溝にこびりついたホコリを素早くきれいに取り去ることができないという問題点がある。
【課題を解決するための手段】
【０００５】
掃除機の吸込筒の先端部に着脱自在な掃除機用アダプタを取り付け、筒状の本体と本体内部に回転自在に設けられたプロペラとプロペラの回転軸に連動されて本体の外部に突出した回転ブラシとを備えた掃除機用アダプタ。
【考案の効果】
【０００６】
本案は、掃除機の吸込筒の先端部に着脱自在な掃除機用アダプタを取り付け、プロペラ１を掃除機の吸引力を利用して回転させることにより、プロペラの回転軸に連動されて取り付けた回転ブラシ２が高スピード回転するので、なかなか取れにくい窓や戸のレールの溝こびりついたホコリをブラシの回転摩擦でかき出し、同時に吸込筒の先端部分より素早く吸い取ることができる掃除機用アダプタとして提供できる。
【考案を実施するための最良の形態】
【０００７】
この掃除機用アダプタは、吸込筒先端４に向かってその口径を細くする。これは吸込筒先端４が窓や戸のレール８の溝幅に吸込筒先端４とその先にある回転ブラシ２が丁度収まるようにするためである。さらに筒状の本体内部には回転軸３を受けるため、プロペラ１に近い部分に軸受け５を、吸込筒先端４には軸受け６を接着させて取り付ける。軸受け５と軸受け６の中央部は円筒形にして、その中に回転軸３を通せるようにする。この掃除機用アダプタ本体の材質は、通常の掃除機の吸込筒と同材質で構わない。
回転軸３は、鋼鉄製の棒状とし、図７のようにプロペラ１側をタペット頭部９のように凸状に加工して、プロペラ１としっかり固定できるようにする。回転ブラシ２側の先端は、ネジきりしておき、回転ブラシ２とボルト・ナット状にネジ込み接合できるようにする。
回転ブラシ２は、通常歯ブラシに使用するような材質の硬めがよい。ただしその直径は、窓や戸のレール８の溝幅に入るだけの幅とする。回転ブラシ２の中央部は、回転軸３が収まるようにネジ穴を開ける。
【実施例１】
【０００８】
本案は、以上のような構造であるから、この掃除機用アダプタ７を使用するときは、現在一般的に使用されている掃除機の吸い込み口の先端部を取り外し、この掃除機用アダプタ７を取りつける。次に掃除機の電源スイッチをＯＮにすればプロペラ１と回転軸３及び回転ブラシ２が回転する。回転ブラシ２と吸込筒先端４までの部分を窓や戸のレールの溝に上部より差し入れるようにして押し当て、レールの溝の端隅から反対側の端隅に向かい、レールに沿ってレール底面をゆっくり平行移動する。
【０００９】
なお、この考案の実施にあたっては、回転ブラシ２の回転力でホコリを落とすわけであるから、回転力が止まるほど強くレール底面に回転ブラシ２を押し当て過ぎないようにする。
【実施例２】
【００１０】
回転ブラシ２のブラシ部分が毛羽立ち老朽化した時は、回転軸３の先端がネジきりされているので、回転ブラシ２を回して抜き取り、新品と交換する。
【図面の簡単な説明】
【００１１】
【図１】この考案、掃除機用アダプタ７の実施形態を示す断面図である。
【図２】プロペラ部分を吸込筒先端４の方向から見た図である。
【図３】プロペラ部分を掃除機本体側から見た図である。
【図４】掃除機用アダプタ７を回転ブラシ２方向から見た正面図である。
【図５】回転ブラシ２と回転軸３を除き吸込筒先端４方向から見た正面図である。
【図６】窓の戸やレール８に回転ブラシ２を差し入れたときの側面図である。
【図７】回転軸３の側面図である。
【符号の説明】
【００１２】
１プロペラ    
２回転ブラシ
３回転軸
４吸込筒先端
５軸受け
６軸受け
７掃除機用アダプタ
８窓の戸やレール
９タペット頭部
【図１】
0003116924.tif 000003
【図２】
0003116924.tif 000004
【図３】
0003116924.tif 000005
【図４】
0003116924.tif 000006
【図５】
0003116924.tif 000007
【図６】
0003116924.tif 000008
【図７】
0003116924.tif 000009
(57)【要約】【課題】紙材を利用して剛性に優れた移送用パレットの支持台を構成する。【解決手段】載荷板１の底面を支える台２として、少なくとも一組の横方向に配置された第一支柱部２１、及び少なくとも一組の縦方向に配置された第二支柱部２２からなり、第一及び第二支柱部を交錯させて、交錯点にて第一第二支柱部を相互に嵌め込む定位溝を設け、これらの溝を相互に嵌め込んで組合わせることにより相互に補強された台構造とする。台の上面と載荷板を糊付及び釘にて接合してパレットを構成する。【選択図】図１
0003116903.tif 000002
【実用新案登録請求の範囲】
【請求項１】
少なくとも一組の横方向に配置された第一支柱部、及び少なくとも一組の縦方向に配置された第二支柱部から成り、第一及び第二支柱部を一箇所において交錯させ、該交錯点にて第一及び第二支柱部に相互に相応して嵌め込む定位溝を設けて嵌め込み組合わせてなり、パレット載荷板底面と接合するようにしてなる格子構造からなるパレット台。
【請求項２】
前記第一及び第二支柱部は均一な柱状物であることを特徴とする請求項１に記載のパレット台。
【請求項３】
前記第一支柱部の定位溝は、第一支柱部の底面より上面方向へ開設し、前記第二支柱部の定位溝は第二支柱部の上面より底面方向へ開設し、これにより、第一支柱部の定位溝と第二支柱部の定位溝を相互に対応させて嵌め込むことを特徴とする請求項２に記載のパレット台。
【請求項４】
前記台は、複数の再生紙を積層することにより構成したことを特徴とする請求項１に記載のパレット台。
【請求項５】
前記第一及び第二支柱部において、第一及び第二定位溝を避け、各支柱を対応させ底面から上面へ凹溝を開設し、フォークリフトのフォーク支持、若しくはクレーンによる支持部として利用できることを特徴とした請求項２に記載のパレット台。
【考案の詳細な説明】
【技術分野】
【０００１】
本考案は、荷物を載貨して移送するためのパレットに関し、パレットの載荷板を支柱で支えて直接地面へ載荷板が接触することを回避し、フォークリフトなどにて前記載荷板を持ち上げて移動可能にする、格子構造を備えたパレット台に関する。
【背景技術】
【０００２】
一般的な補強構造は、重量物を積載するパレット載荷板、及び載荷板を支えるパレット台構造に利用されている。パレットの構造には多くの種類が有り、例として中華民国公告第２６０１０３号「紙製格子構造の利用」新型特許の開示においては、複数の柱状物にて載荷板を支える支柱部を成し、前記公報図２に示すように、クレーンを柱状物の間隔に挿入し載荷板を牽引し台を移動させている。又、公告第２６０１６７号「ダンボール柵構造改良」新型特許の掲示においては、管柱状物を載荷板の底部へ均等配置させている。
上述される公知のパレット台構造は、およそ単体独立で載荷面と結合する為、重量物に対する支持強度が弱く、特に載貨する物品の配置が不均等の場合、即座に台の片辺に過大な負荷がかかり、歪みや断裂を生じ易くなる。
【特許文献１】特許第３１３１３７３号公報
【考案の開示】
【考案が解決しようとする課題】
【０００３】
本考案では、公知のパレットにおける歪みや断裂の発生し易いという問題を解決し、より強い積載能力を備えることを目的とする。
【課題を解決するための手段】
【０００４】
本考案の格子構造は、各柱状物を格子型に配置して交錯させ、前記交錯点で対応する溝を相互に嵌め込むことにより組合わせて、これらの構造による相互補強作用により剛性に優れた格子台構造を構成する。
【考案を実施するための最良の形態】
【０００５】
図１〜３に示すように、本考案のパレット格子構造は、重量物を積載する荷重面１及び前記荷重面の底面に接する前記加荷重面を支える台２より構成される。前記台は少なくとも一組の横方向に並置された第一支柱部２１、及び少なくとも一組の縦方向に配置された第二支柱部２２から成り、第一及び第二支柱部２１、２２に少なくとも一箇所において交錯させて、第一支柱部と第二支柱部が合わさる前記交錯点にて、相互に嵌込み定位溝２３、２４を設け、第一及び第二支柱部２１，２２を嵌め込むことにより組み合わせて台構造を構成する。
【０００６】
更に具体的に説明すると、上述の第一及び第二支柱部２１，２２は均一な柱形を成し、前記柱形には一定の厚み２１０、２２０を設け、上面２１１、２２１及び底面２１２，２２２を成し、前記第一及び第二支柱部２１，２２を格子状に配置して少なくとも一箇所で交錯させ、前記交錯点の所定位置にて、第一支柱部の底面２１２から上面２１１方向へ第一定位溝２３を設け、第二支柱部の底面２２１から底面２２２方向へ第二定位溝２４を設け、こうして前記第一定位溝２３を第二定位溝２４のスリットを相応させ、第一及び第二支柱部２１，２２を嵌め込み結合することにより格子構造の台を構成、且つ第一及び第二支柱部２１，２２は相互補強しあってより強力な堆積能力を有する。
【０００７】
上記以外に、クレーン及びフォークリフトにて移送可能にする為、前記第一及び第二支柱部２１，２２内の所定の位置、並びに前記第一及び第二定位溝２３，２４を避けた部分に、各それぞれを対応させて底面２１２、２２２から上面２１１、２２１方向へ凹溝２５、２６を形成することにより、フォークリフトのフォークで支持したり、クレーン移送において前記凹溝２５，２６を利用してパレットを支持、移送することができる。
台の配置完成後、第一及び第二支柱部２１，２２の上面２１１、２２１と載荷板１
を糊付、釘打ち固定して完全な格子構造を形成する。
【０００８】
本考案の格子構造は、紙材より製作でき、図１〜３に示すようなダンボール、又図４に示すような複数の再生紙１０の積層構造から成ることにより、環境生態を保護し、又前記格子は虫食被害も無く、燻煙処理が不要で、燃焼廃棄可能で、空気も汚染することがない。
【０００９】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１０】
【図１】本考案の格子の分解図である。
【図２】本考案の格子台の組立図である。
【図３】本考案の格子台の概観図である。
【図４】本考案の格子の図例である。
【符号の説明】
【００１１】
１ 載荷板
１０ 再生紙
２ 台
２１ 第一支柱部
２１０ 厚み
２１１ 上面
２１２ 底面
２２ 第二支柱部
２２０ 厚み
２２１ 上面
２２２ 底面
２３ 第一定位溝
２４ 第二定位溝
２５ 第一支柱凹部
２６ 第一支柱凹部
【図１】
0003116903.tif 000003
【図２】
0003116903.tif 000004
【図３】
0003116903.tif 000005
【図４】
0003116903.tif 000006
(57)【要約】      （修正有）【課題】ガス配管・水道配管・電気配線用配管・足場組み立てパイプなどのあらゆるパイプを、締める・緩める・外す作業を行う場合従来の工法はパイプの外径をレンチの歯の部分にて加え込みパイプを回転させる作業を行う際に、レンチで加え込んだ歯の部分で損傷を防止することができるパイプレンチの提供。【解決手段】パイプの内孔面と対面する外側面と、軸中心部に形成された凹条とを有する押圧片を構成し、この同形の押圧片複数個をバンドにて結束組み合せてパイプの内孔に挿入すると共に該各々の凹条にて一連の非真円形孔を形成し、この一連の非真円形孔にレンチ棒の先端の非真円形軸部を挿入して回転させることによって各々の押圧片を外側に拡散させてその押圧片をパイプの内孔面に圧接させたパイプレンチ。【選択図】図１
0003116475.tif 000002
【実用新案登録請求の範囲】
【請求項１】
パイプの内孔面と対面する外側面と、軸中心部に形成された凹条とを有する押圧片を構成し、この同形の押圧片複数個をバンドにて結束組み合せてパイプの内孔に挿入すると共に該各々の凹条にて一連の非真円形孔を形成し、この一連の非真円形孔にレンチ棒の先端の非真円形軸部を挿入して回転させることによって各々の押圧片を外側に拡散させてその押圧片をパイプの内孔面に圧接させたことを特徴としたパイプレンチ。
【請求項２】
押圧片を２組とし、凹条にて形成される非真円形孔を楕円形とすると共に、レンチ棒の先端を楕円形としたことを特徴とした請求項１記載のパイプレンチ。
【請求項３】
押圧片を３組として凹条にて形成される非真円形孔を三角形とすると共にレンチ棒の先端を三角形としたことを特徴とした請求項１記載のパイプレンチ。
【請求項４】
バンドにて結束させた状態での押圧片の外径が異なる様に軸方向に複数段形成したことを特徴とした請求項１〜３記載のパイプレンチ。
【考案の詳細な説明】
【技術分野】
【０００１】
本考案は、ガス管・水道管・電気配線用配管・足場組み立てパイプなどのあらゆるパイプの締め付け又は緩める作業の際に、パイプの内孔面へパイプレンチを挿入しパイプを回転させるパイプレンチで、パイプの外部に損傷を与えず従来のパイプレンチでは作業が困難な現場でもコンパクトな空間にて作業が行える事を特徴とするものである。
【背景技術】
【０００２】
従来の配管工事の工具はパイプの外部にパイプレンチ等の配管工具で加え込み、パイプを締め付け又は緩める作業を行うが、配管のネジ部を損傷し又は、パイプの表面がメッキ加工の場合にはパイプレンチの歯の部分で傷がつき、クームの対象になる場合がある。配管工事現場でパイプレンチをセットできるスペースない為に作業困難に遭遇する事がある。  
【考案の開示】
【考案が解決しようとする課題】
【０００３】
解決しようとする問題点は、従来のパイプレンチでパイプを回すとパイプレンチでパイプの外径を加え込み作業するためにネジ部分を破損させ漏えいの原因になる、又パイプの外側に傷が付くことが必至である、この様な事を防ぐことを課題とする。
【０００４】
パイプを締め付け又は緩める、外す、などの作業の際、その位置に従来のパイプレンチを使用し作業を行うスペースがない場合を課題とする。
【課題を解決するための手段】
【０００５】
以上の課題を解決するためにパイプの内孔面より圧力を加えてパイプを回し、パイプの外部に損傷を与えない事を特徴とするパイプレンチである。
【考案の効果】
【０００６】
（１）請求項１により、パイプの外側を挟まないでその外周面を傷つけずに配管工事ができる。又配管パイプのネジ部分が壁の仕上げ面に出ていない場合においても支障なく工事が可能である。                      
（２）請求項４により異径のパイプにも適応できる。
【考案を実施するための最良の形態】
【０００７】
図１、図３はパイプレンチ全体を示し、異なる実施例の斜視図で、まず図１に基いて説明する。図に於いてパイプレンチを構成する押圧片１は焼き入れ加工をした鉄製で表面にスリット１ａを加工している。この押圧片１は、複数個をバンドＢにて結束されておりパイプの内孔Ｐaに挿入しレンチ棒２を目的の方向へスパナで回転させ押圧片が外側へ拡散して内孔面Ｐｂに密着してパイプＰを同方向へ回転させる。しかしてバンドＢは押圧片１の外周溝１ｂに嵌合している。
【実施例１】
【０００８】
図１は、パイプレンチの斜視図で、押圧片１が２分割、レンチ棒２の断面が楕円径で形成したパイプレンチで、配管パイプＰの内孔Ｐａへ挿入し作業を行う。
図２は、図１のパイプレンチの断面図で図２ｂはパイプレンチを内孔Ｐａへ挿
入した状態を示している。（ａ）は、レンチ棒２を右回転させＰを右方向へ回転している状態で、（ｃ）はその逆方向を示している。
【実施例２】
【０００９】
図３は、パイプレンチの押圧片１を３片にて形成したことを示している斜視図である。
【実施例３】
【００１０】
図４は、図３の断面図である。
【実施例４】
【００１１】
図５は、パイプの外径が異なることに対応させ、軸方向に複数段連結して形成したことを示したパイプレンチの断面図である。
【実施例５】
【００１２】
図６は、配管パイプＰのネジ部分が壁の仕上り面３に出ていないか、少しだけしか出ていない状態においても支障なく工事が可能であることを示した側面図である。
【図面の簡単な説明】
【００１３】
【図１】実施例１を示す斜視図
【図２】実施例１を示す断面図
【図３】実施例２を示す斜視図
【図４】実施例２を示す断面図
【図５】実施例４を示す断面図
【図６】使用例図
【符号の説明】
【００１４】
１    押圧片
２    レンチ棒
３    内壁仕上り面（タイル等）
４    外壁
Ｐ    パイプ
Ｐａ  パイプ内孔
Ｐｂ  パイプ内孔面
Ｂ    バンド
【図１】
0003116475.tif 000003
【図２】
0003116475.tif 000004
【図３】
0003116475.tif 000005
【図４】
0003116475.tif 000006
【図５】
0003116475.tif 000007
【図６】
0003116475.tif 000008
(57)【要約】  【課題】  楽器演奏用器具に発光機能を付加したもので、従来の技術のような蓄電池の交換が不要で、演奏の強弱によって発光度合が変化する演奏器具を提供する。  【解決手段】  演奏器具と一体に配置された圧電素子と、器具の適宜位置において配置された、好ましくはＬＥＤなどの小型発光素子と、前記圧電素子と前記発光素子とを電気的に接続する手段から成る。【選択図】  図１
0003116473.tif 000002
【実用新案登録請求の範囲】
【請求項１】
弦楽器演奏器具の弦に接触する位置から離れた、演奏中の器具の撓みの大きくない位置に、器具と一体に配置された圧電素子と、器具の適宜位置において配置された、好ましくはＬＥＤなどの小型発光素子と、前記圧電素子と前記発光素子とを電気的に接続する手段から成る演奏器具。
【請求項２】
打楽器演奏器具において、器具を把持する部位近傍に器具と一体に配置された圧電素子と、器具の適宜位置に配置されたＬＥＤなどの小型発光素子と、圧電素子と発光素子とを電気的に接続する手段から成る演奏器具。
【考案の詳細な説明】
【技術分野】
【０００１】
本考案は、あらゆる弦楽器、打楽器を演奏するために楽器の奏法に合わせた形状、構造を持たせることが出来る自己発電式点灯器具に関するものである。
【背景技術】
【０００２】
先行技術としては、蓄電池とスイッチとを弦楽器用のピックに内装し、指でつまむ動作によりスイッチを入り切りして、ピックに配設された発光手段への通電を開閉するものがある。
この技術の概要は、ギターのピックまたはその類似物に発光機能を付与し、ピックの発光手段を演奏動作に応じて点滅させるものである。演奏のための爪を有する本体の内部に電池を収める収容部を形成し、電池を覆い本体に一体化するカバー片を組み合わせ、それらの外側のつまみ面を指先でつまめる偏平なピックを形成する。
本体内に光源体を装着し、そのリ−ド線の１本を電池の一方の極に接続し、もう一本は電池の他方の極を覆う絶縁性の薄片上に配置する。
該薄片上のリード線の延長上にスイッチ片を設け、該スイッチ片をピックの演奏の際にカバー片に働く押圧力で電池他極に接触可能に設けたものである。
【特許文献１】実開平７−１９７８９
【考案の開示】
【考案が解決しようとする課題】
【０００３】
従来のピックをはじめとする演奏用具は、実用的には充分な機能を有しているが、それ以外の何物でもなく、付加的な機能は一切排除され、単純な用具としての機能を備えるのみであった。
前記先行技術では、付加機能として演奏に合せて発光体が点滅する機能を備えたものであるが、本体内に蓄電池とスイッチ機能を内蔵させなければならず、本体が肉厚のものとなり、ギターのような繊細な演奏には不向きなものである。また、演奏中の指の力加減でスイッチが開閉するのみで、発光体は点灯と消灯のパターンを繰り返すのみである。
【課題を解決するための手段】
【０００４】
そこで本考案では、弦楽器演奏用の器具の弦に接触する位置から離れた、演奏中の器具の撓みの大きくない位置に、器具と一体に配置された圧電素子と、器具の適宜位置において配置された、好ましくはＬＥＤなどの小型発光素子と、前記圧電素子と前記発光素子とを電気的に接続する手段から成るものである。
打楽器演奏器具においては、器具を把持する部位近傍に器具と一体に配置された圧電素子と、器具の適宜位置に配置されたＬＥＤなどの小型発光素子と、圧電素子と発光素子とを電気的に接続する手段から成るものである。
【考案の効果】
【０００５】
このように構成したものであるから、本考案によれば、奏者が楽器を演奏する時に、演奏する力加減で圧電素子で発生する起電力が変化し、発光素子の光の強弱が変化するものであるから、単に点滅する以上の微妙な効果が発揮されると共に、電源が圧電素子であるので、蓄電池の消耗による交換等の手数がかからず消耗品の廃棄といった環境問題も解消でき、半永久的に使用することができる。
【実施例】
【０００６】
図１は本考案に係る弦楽器用ピックの実施例である。このピックは弦楽器を演奏するための器具であり、発電手段である圧電素子と発光手段であるＬＥＤ素子を内蔵する。
ピック本体１と、圧電素子２と、ＬＥＤ素子３と、配線４とから構成される。形状的には従来の一般的なピックと同等であるのが好ましいが、より撓みを大きくして発電電圧を大きく得るために適宜な形状で構成し得る。
本体１は演奏のために直接弦に接触する部位１１と、指先でピックを把持する部位１２とに大別される。
この本体１の接触部１１から把持部１２に至る適宜位置の適宜範囲にわたって圧電素子２が本体１と一体に固定的に配置されている。
この圧電素子２からは配線４が延設されＬＥＤ素子３と接続されている。
この配線４は楽器演奏用ピックという特殊用途を考慮すると、可撓性の印刷基板を利用するのが好ましい。
もしくは、電圧・電流共に許容しうる範囲で金属線を使用することも可能である。
図２は打楽器用器具に係る実施例である。打楽器には神事や仏事に使用されるものも含まれる。
図示するのは棒状の器具で、ドラム用のスティックである。
スティック本体と、把持部と、打撃部とから成り、打撃部は適用する楽器の種類によって打撃位置が異なるため広い範囲が打撃部になる。
打楽器の場合は、弦楽器とは異なり、演奏の激しさや楽器の生成する音の強弱は器具の撓みには弦楽器用のピックほど敏感に影響しないため、器具に圧電素子を内蔵させるのは効果的ではなく、むしろ把持部の表面近傍に配置したほうが効果的である。
このほうが打撃の強弱が把持部への把持力の強弱によって直接検出しやすくなる。
スティックは円柱状であり演奏中に手中で回転するため、発光用のＬＥＤ素子を埋設する位置を考慮する必要がある。
どの位置でも発光が確認できるようにするには、スティックの全周にわたってＬＥＤ素子を配置するのが理想であるが、強度や効果を考慮して適宜位置に適宜個数配置する。
【図面の簡単な説明】
【０００７】
【図１】本考案の実施例の断面図
【図２】他の実施例の断面図
【図３】別の実施例の断面図
【図４】更に別の実施例の断面図
【符号の説明】
【０００８】
１ピック本体
２圧電素子
３ＬＥＤ素子
４配線
１１接触部
１２把持部
【図１】
0003116473.tif 000003
【図２】
0003116473.tif 000004
【図３】
0003116473.tif 000005
【図４】
0003116473.tif 000006